(57)【特許請求の範囲】
【請求項１】
通路開口の両側部にそれぞれが配設される一対のガイドレールと、両ガイドレール間を昇降自在に設けられて両該ガイドレール間を開放・閉鎖可能なシート体と、両該ガイドレール間を閉鎖した状態にある該シート体の各幅方向端部の近傍をそれぞれ上下方向に連続してシール可能な一対の側部押し付けシール機構と、両該ガイドレール間を閉鎖した状態にある該シート体の上方部を該シート体の幅方向に連続してシール可能な上部押し付けシール機構とを備えたスクリーン装置であって、
上記側部押し付けシール機構は、上記シート体の下降に伴って作動する作動リンクと、上下方向に連続して延びて設けられた第１被押し付け部と、該作動リンクに連結され、該作動リンクの作動を介して、両上記ガイドレール間を閉鎖した状態にある該シート体の幅方向端部の近傍を該第１被押し付け部に押し付け可能な上下方向に連続して延びて設けられた第１押し付け部材とを具備し、
上記上部押し付けシール機構は、両上記ガイドレールの上端部間に架け渡され上記シート体の幅方向に連続して延びて設けられた第２被押し付け部と、前記第１押し付け部材に連動して、両上記ガイドレール間を閉鎖した状態にある該シート体の上方部を該第２被押し付け部に押し付け可能な該シート体の幅方向に連続して延びて設けられた第２押し付け部材とを具備することを特徴とするスクリーン装置。
【請求項２】
前記ガイドレールは、互いに対向して上下方向に連続して延びて設けられ前記シート体の各幅方向端部がそれぞれ挿入される幅挟挿入口と、該幅挟挿入口の奥で上下方向に連続して延びて設けられかつ該幅挟挿入口の開口幅よりも大きな収納空間とをもち、
前記側部押し付けシール機構の前記作動リンク及び前記第１押し付け部材は上記収納空間内に配設されるとともに、上記幅挟挿入口を画成する対向壁部の一方が該側部押し付けシール機構の前記第１被押し付け部をもつことを特徴とする請求項１記載のスクリーン装置。
【請求項３】
前記ガイドレールは、前記幅挟挿入口を画成する対向壁部の一方に開口端縁をもち、前記側部押し付けシール機構の前記第１被押し付け部は該開口端縁であることを特徴とする請求項２記載のスクリーン装置。
【発明の詳細な説明】
【０００１】
【発明の属する技術分野】
本発明は、建築構造物等の内部の通路開口に設置され、火災等の必要時に該通路開口を遮蔽することにより、煙や火炎の拡散を防止したり、あるいは風や埃塵等の進入を防止したりするスクリーン装置に関し、詳しくは上記通路開口を閉鎖した状態にあるシート体の両側部におけるシール性を高めたスクリーン装置に関する。
【０００２】
【従来の技術】
従来、建築構造物等の内部で、火災時の煙や火炎が拡散するのを防止する手段として、通路開口に設置されて火災等の必要時に該通路開口を遮蔽する遮煙スクリーン装置が知られている。
【０００３】
かかる遮煙スクリーン装置として、例えば、通路開口の両側部にそれぞれが配設される一対のガイドレールと、両該ガイドレール間の上方に回動自在に配設される巻き取りドラムと、該巻き取りドラムに巻き回されて両該ガイドレール間を上昇するとともに巻き戻されて下降することにより両該ガイドレール間を開放・閉鎖可能なシート体とを備えたものが提案されている（特開平１１−１８２１５９号公報等参照）。
【０００４】
この遮煙スクリーン装置では、各上記ガイドレールが互いに対向して上下方向に連続して延びる挿入口をそれぞれ有しており、上記シート体は各該ガイドレールの各該挿入口に各幅方向端部がそれぞれ挿入された状態で昇降可能とされている。
【０００５】
したがって、この遮煙スクリーン装置によれば、例えば、火災時の火災信号等により巻き取りドラムからシート体を巻き戻す方向に該巻き取りドラムを駆動回転させれば、該巻き取りドラムから巻き戻されて下降するシート体により両ガイドレール間を閉鎖することができる。
【０００６】
【発明が解決しようとする課題】
しかしながら、上記したような遮煙スクリーン装置では、ガイドレールの挿入口とシート体の幅方向端部との間にはシート体を昇降させるためのクリアランスが上下方向に連続して延びている。このため、シート体が両ガイドレール間を下降して両ガイドレール間を閉鎖した火災時に、上記クリアランスを介してガイドレール内に煙が進入し、この煙がガイドレール内を上昇してガイドレールの上端開口部から上方に流出したり、あるいは上記クリアランス自体から流出したりするおそれがある。
【０００７】
したがって、両ガイドレール間がシート体で閉鎖された状態であっても、シート体で区画された一方の空間から他方の空間へ、シート体の両側にある両ガイドレール内を通って煙が流出するおそれがあり、十分な気密性が得られない場合がある。
【０００８】
このような問題は、上記遮煙スクリーン装置と同様の構成を有する、通路開口を閉鎖して風や塵埃等の進入を防止するためのスクリーン装置においても、同様に発生しうる。
【０００９】
本発明は上記実情に鑑みてなされたものであり、両ガイドレール間を閉鎖したシート体の両側部における気密性を向上させることを解決すべき技術課題とするものである。
【００１０】
【課題を解決するための手段】
上記課題を解決する本発明のスクリーン装置は、通路開口の両側部にそれぞれが配設される一対のガイドレールと、両ガイドレール間を昇降自在に設けられて両該ガイドレール間を開放・閉鎖可能なシート体と、両該ガイドレール間を閉鎖した状態にある該シート体の各幅方向端部の近傍をそれぞれ上下方向に連続してシール可能な一対の側部押し付けシール機構と、両該ガイドレール間を閉鎖した状態にある該シート体の上方部を該シート体の幅方向に連続してシール可能な上部押し付けシール機構とを備えたスクリーン装置であって、上記側部押し付けシール機構は、上記シート体の下降に伴って作動する作動リンクと、上下方向に連続して延びて設けられた第１被押し付け部と、該作動リンクに連結され、該作動リンクの作動を介して、両上記ガイドレール間を閉鎖した状態にある該シート体の幅方向端部の近傍を該第１被押し付け部に押し付け可能な上下方向に連続して延びて設けられた第１押し付け部材とを具備し、上記上部押し付けシール機構は、両上記ガイドレールの上端部間に架け渡され上記シート体の幅方向に連続して延びて設けられた第２被押し付け部と、前記第１押し付け部材に連動して、両上記ガイドレール間を閉鎖した状態にある該シート体の上方部を該第２被押し付け部に押し付け可能な該シート体の幅方向に連続して延びて設けられた第２押し付け部材とを具備することを特徴とするものである。
【００１２】
好適な態様において、前記ガイドレールは、互いに対向して上下方向に連続して延びて設けられ前記シート体の各幅方向端部がそれぞれ挿入される幅挟挿入口と、該幅挟挿入口の奥で上下方向に連続して延びて設けられかつ該幅挟挿入口の開口幅よりも大きな収納空間とをもち、前記側部押し付けシール機構の前記作動リンク及び前記第１押し付け部材は上記収納空間内に配設されるとともに、上記幅挟挿入口を画成する対向壁部の一方が該側部押し付けシール機構の前記第１被押し付け部をもつ。
【００１３】
好適な態様において、前記ガイドレールは、前記幅挟挿入口を画成する対向壁部の一方に開口端縁をもち、前記側部押し付けシール機構の前記第１被押し付け部は該開口端縁である。
【００１４】
【発明の実施の形態】
本発明のスクリーン装置は、両ガイドレール間を閉鎖した状態にあるシート体の各幅方向端部の近傍をそれぞれ上下方向に連続してシール可能な一対の側部押し付けシール機構を備えており、この側部押し付けシール機構は、上記シート体の下降に伴って作動する作動リンクと、上下方向に連続して延びて設けられた第１被押し付け部と、該作動リンクに連結され、該作動リンクの作動を介して、両上記ガイドレール間を閉鎖した状態にある該シート体の幅方向端部の近傍を該第１被押し付け部に押し付け可能な上下方向に連続して延びて設けられた第１押し付け部材とを具備している。
【００１５】
このため、シート体の下降に伴って作動リンクが作動すれば、この作動リンクの作動を介して、両ガイドレール間を閉鎖した状態にあるシート体の幅方向端部の近傍を、上下方向に連続して、第１押し付け部材により第１被押し付け部に押し付けてシールすることができる。このため、シート体が両ガイドレール間を閉鎖しているとき、シート体の両側部において気密性を確実に向上させることができる。したがって、本発明のスクリーン装置によれば、煙、風や塵埃等を確実に遮断することが可能となる。
【００１６】
本発明のスクリーン装置は、建物内等の所定の位置で、火災時の煙や火炎が拡散するのを防止したり、あるいは風や埃塵等の進入を防止したりするために、所定の通路開口に設置されるもので、該通路開口の両側部にそれぞれが配設される一対のガイドレールと、両ガイドレール間を昇降自在に設けられて開放・閉鎖可能なシート体とを備えている。
【００１７】
上記通路開口としては特に限定されず、例えば、建物内の廊下、出入り口やエレベータの扉の前等を挙げることができる。
【００１８】
上記通路開口の両側部に設置される各ガイドレールは、特に限定されるものではないが、例えば、互いに対向して上下方向に連続して延びて設けられシート体の各幅方向端部がそれぞれ挿入される幅挟挿入口と、該幅挟挿入口の奥で上下方向に連続して延びて設けられかつ該幅挟挿入口の開口幅よりも大きな収納空間とをもつものとすることができる。こうすれば、シート体の幅方向端部をガイドレール内に納めることにより、両ガイドレール間におけるシート体の昇降を確実かつスムースに行うことができる。また、上記側部押し付けシール機構の作動リンク及び第１押し付け部材をガイドレールの上記収納空間内に納めることもでき、スペースの有効利用を図ることができるとともに意匠的にも優れたものとなる。さらに、上記幅挟挿入口を画成する対向壁部の一方を側部押し付けシール機構の第１被押し付け部として利用することができる。特に、幅挟挿入口を画成する対向壁部の一方に開口端縁を形成し、この開口端縁を側部押し付けシール機構の第１被押し付け部とすることが好ましい。こうすれば、該開口端縁のエッジ部と第１押し付け部材とでシート体を挟んでシールすることができるので、シール性をより高めることができる。
【００１９】
上記幅挟挿入口は、シート体が摺接又は容易に通過しうるようにシート体の厚さよりも少なくとも若干大きな開口幅を有するものとすることができ、この一定の開口幅で上下方向に連続して延びる一対の対向壁部で形成することができる。
【００２０】
上記幅広収納空間は、少なくとも幅挟挿入口の開口幅よりも大きな開口幅をもつとともに、上記側部押し付けシール機構の作動リンク及び第１押し付け部材を収納可能な空間とすることができる。
【００２１】
上記シート体の材質は特に限定されるものではないが、火災時の煙や火炎が拡散するのを防止する遮煙用スクリーン装置に本発明のスクリーン装置を適用する場合は、ガラス繊維の織布やシリカクロス等の不燃又は耐火材料とすることが好ましい。
【００２２】
シート体を両ガイドレール間で昇降させるための装置としては、特に限定されないが、例えば、両前記ガイドレール間の上方に回動自在に配設され、シート体が巻き戻し自在に巻き取られる巻き取りドラムを備えたものとすることができる。この巻き取りドラムは、正逆回転可能なモータ等の駆動手段を備えた駆動ユニットにより、シート体を巻き回す方向及び巻き戻す方向のいずれにも回転可能とすることができる。また、手動又は無線等の電気信号により解除可能なロック機構を駆動ユニットに内蔵させるとともに、シート体の下端部に重りを取り付けることもできる。こうすれば、停電等によりモータ等の駆動手段が作動しない場合であっても、手動又は煙感知器信号等の非常用電気信号によりロック機構を解除すれば、巻き取りドラムに巻き取られたシート体を、自重により巻き取りドラムから巻き戻すとともにガイドレール間を下降させて閉鎖することができる。なお、上記駆動ユニットとしては、手動によりシート体を巻き取る構成としてもよい。
【００２３】
本発明のスクリーン装置は、上述のとおり、両ガイドレール間を閉鎖した状態にあるシート体の各幅方向端部の近傍をそれぞれ上下方向に連続してシール可能な一対の側部押し付けシール機構を備えていることに特徴がある。
【００２４】
この側部押し付けシール機構を構成する上記作動リンクは、上記シート体の下降に伴って作動して、両ガイドレール間を閉鎖した状態にあるシート体の幅方向端部の近傍を第１押し付け部材により第１被押し付け部に押し付けるものである。かかる作動リンクは、例えば、ガイドレールに揺動可能に支持させることができる。
【００２５】
上記側部押し付けシール機構を構成する上記第１押し付け部材は、上記作動リンクに連結されるとともに上下方向に連続して延びて設けられ、作動リンクの作動を介して、両ガイドレール間を閉鎖した状態にあるシート体の幅方向端部の近傍を該第１被押し付け部に押し付けるものである。かかる第１押し付け部材としては、作動リンクの揺動により第１被押し付け部に向かって移動可能とされた角状棒材等とすることができる。
【００２６】
本発明のスクリーン装置は、両上記ガイドレール間を閉鎖した状態にある上記シート体の上方部を該シート体の幅方向に連続してシール可能な上部押し付けシール機構をさらに備えている。このため、シート体が両ガイドレール間を閉鎖しているとき、シート体の両側部のみならず、シート体の上方部でも上部押し付けシール機構により幅方向に連続してシールして気密性を高めることができる。したがって、煙、風や塵埃等をより確実に遮断することが可能となる。
【００２７】
上記上部押し付けシール機構は、両上記ガイドレールの上端部間に架け渡され上記シート体の幅方向に連続して延びて設けられた第２被押し付け部と、前記第１押し付け部材に連動して、両上記ガイドレール間を閉鎖した状態にある該シート体の上方部を該第２被押し付け部に押し付け可能な該シート体の幅方向に連続して延びて設けられた第２押し付け部材とを具備する構成とされている。かかる構成によれば、シート体の下降に伴って作動する上記作動リンクに連結された上記第１押し付け部材に連動する、該シート体の幅方向に連続して延びて設けられた第２押し付け部材により、両ガイドレール間を閉鎖した状態にあるシート体の上方部を第２被押し付け部に押し付けてシールすることができる。
【００２８】
【実施例】
以下、実施例により本発明を具体的に説明する。
【００２９】
（実施例１）
本実施例は、本発明のスクリーン装置をエレベータ扉の前に設置する遮煙用のスクリーン装置に適用したものである。
【００３０】
このスクリーン装置は、エレベータ扉前の通路開口の両側部にそれぞれが配設される一対のガイドレール１、１と、両ガイドレール１、１間の上方に回動自在に配設される巻き取りドラム２と、この巻き取りドラム２に巻き回されて両ガイドレール１、１間を上昇するとともに巻き戻されて下降することにより、両ガイドレール１、１間を昇降可能に設けられて両ガイドレール１、１間を開放・閉鎖可能なシート体３とを主に備えている。
【００３１】
各上記ガイドレール１、１は、互いに対向して上下方向に連続して延びる幅狭挿入口４、４と、この幅狭挿入口４、４の奥で上下方向に連続して延びかつ幅狭挿入口４、４の開口幅よりも大きな幅広収納空間５、５とをそれぞれが有している。なお、幅挟挿入口４及び幅広収納空間５は、いずれもガイドレール１の全体、すなわちガイドレール１の上端から下端まで連続して延びている。
【００３２】
上記幅挟挿入口４は、シート体３が容易に通過しうるようにシート体３の厚さよりも大きな開口幅を有するもので、この一定の開口幅で上下方向に連続して延びる一対の対向壁部６、６（図２参照）間に形成されている。
【００３３】
そして、シート体３の一面側（エレベータカゴ側で図２の下側。以下、同様）の対向壁部６の幅広収納空間５側の端部には、後述する側部押し付けシール機構９を構成する第１被押し付け部となる開口端縁１１が一体に突設されている。なお、この開口端縁１１は、ガイドレール１の上端から下端までガイドレール１の全体にわたって上下方向に連続して延びて設けられている。
【００３４】
上記幅広収納空間５は、幅挟挿入口４の開口幅よりも大きな開口幅をもつとともに、後述する側部押し付けシール機構９の複数の作動リンク１０及び第１押し付け部材としての押し付けバー１２を収納可能な空間とされている。
【００３５】
上記シート体３は、各上記ガイドレール１、１の各上記幅狭挿入口４、４に各幅方向端部３ａ、３ａがそれぞれ挿入された状態で昇降可能に設けられている。このシート体３は、不燃又は耐火材料としてのシリカクロスよりなる。そして、シート体３の先端部（下端部）には、シート体３が自重により両ガイドレール１、１間を下降しうるように重り７が取り付けられている。
【００３６】
シート体３の基端部は、該シート体３を両ガイドレール１、１間で昇降させるための巻き取りドラム２に固定されている。この巻き取りドラム２は、両ガイドレール１、１間の上方に配設される図示しないケースの側壁に回動可能に軸支され、正逆回転可能なモータ（図示せず）を備えた駆動ユニット８により、シート体３を巻き回す方向及び巻き戻す方向のいずれにも回転可能とされている。この駆動ユニット８は、シート体３を巻き取った状態で保持するロック機構（図示せず）を備えており、このロック機構は手動又は無線等の電気信号により解除可能となされている。また、駆動ユニット８は、自重により落下しようとするシート体３の落下荷重に対抗してその落下速度を減速せしめてシート体３の急激な落下を防止しうる落下防止機構（図示せず）を備えている。
【００３７】
そして、本実施例のスクリーン装置は、両ガイドレール１、１間を閉鎖した状態にあるシート体３の各幅方向端部３ａ、３ａの近傍をそれぞれ上下方向に連続してシール可能な一対の側部押し付けシール機構９、９を備えている。
【００３８】
この側部押し付けシール機構９は、上記シート体３の下降に伴って作動する複数の作動リンク１０と、上下方向に連続して延びて設けられた第１被押し付け部としての上記開口端縁１１と、各作動リンク１０に連結され、各作動リンク１０の作動を介して、両ガイドレール１、１間を閉鎖した状態にあるシート体３の幅方向端部３ａの近傍を該第１被押し付け部としての上記開口端縁１１に押し付け可能な上下方向に連続して延びて設けられた第１押し付け部材としての押し付けバー１２とを具備している。
【００３９】
上記側部押し付けシール機構９を構成する各上記作動リンク１０は、ガイドレール１の上記幅広収納空間５内に上下方向に間隔をおいて収納されるとともに、作動リンク１０の基端１０ａがシート体３の一面側を向きかつ作動リンク１０の揺動先端１０ｂがシート体３の他面側（エレベータロビー側で図２の上側。以下、同様）を向くように、ガイドレール１の内側面に揺動可能に支持されている。なお、シート体３の下端部が床面に着床する直前に該下端部は、最下端にある作動リンク１０に当接して該作動リンク１０を斜め下方に揺動させるようになっている。
【００４０】
上記側部押し付けシール機構を構成する上記第１押し付け部材としての押し付けバー１２は、角状棒材よりなり、ガイドレール１の上記幅広収納空間５内に上下方向に延びて収納されるとともに、各上記作動リンク１０の揺動先端１０ｂにピンを介して連結されている。なお、各作動リンク１０の揺動先端１０ｂはピンに対して揺動自在に支持されている、これにより、各作動リンク１０の揺動先端１０ｂがシート体３の一面側に向かって下方に揺動すれば、シート体３の一面側の対向壁部６に設けられた開口端縁１１に向かって押し付けバー１２が斜め下方に平行移動するようになされている。なお、この押し付けバー１２の上端は、ガイドレール１の上端から所定長さだけ上方に突出している。
【００４１】
本実施例のスクリーン装置は、両上記ガイドレール１、１間を閉鎖した状態にある上記シート体３の上方部を該シート体３の幅方向に連続してシール可能な上部押し付けシール機構１３をさらに備えている。
【００４２】
この上部押し付けシール機構１３は、各ガイドレール１、１の上方でかつ各該ガイドレール１、１よりもシート体３の一面側でシート体３の幅方向に連続して延びて設けられた固定ローラ１４と、両ガイドレール１、１の上端部１ａ、１ａ間に架け渡され該シート体３の幅方向に連続して延びて設けられた第２被押し付け部としての被押し付け固定ローラ１５と、前記第１押し付け部材としての押し付けバー１２に連動して、両ガイドレール１、１間を閉鎖した状態にあるシート体３の上方部を第２被押し付け部としての被押し付け固定ローラ１５に押し付け可能なシート体３の幅方向に連続して延びて設けられた第２押し付け部材としての押し付け移動ローラ１６とを具備している。
【００４３】
上記固定ローラ１４は、各ガイドレール１、１の上端部外側から上方に延びて設けられた一対の支持板（図示せず）に固定されている。また、押し付け移動ローラ１６は、各押し付けバー１２、１２の各上端部にピンを介して揺動自在に支持された各支持片１７、１７（図１参照）間に回動自在に枢支されている。さらに、各該支持板にそれぞれ基端が揺動自在に支持された各リンク１８、１８の揺動先端も該ピンを介して各押し付けバー１２、１２の各上端部にそれぞれ揺動自在に支持されている。
【００４４】
そして、図１に示すように、巻き取りドラム２から巻き出されたシート体３の先端は、まず押し付け移動ローラ１６のエレベータロビー側（シート体３の他面側）を通ってから固定ローラ１４のエレベータカゴ側（シート体３の一面側）を通り、続いて被押し付け固定ローラ１５のエレベータロビー側を通り、その後両ガイドレール１、１間を下降するように構成されている。
【００４５】
上記構成を有する本実施例のスクリーン装置は、エレベータ扉前の通路開口に設置されて使用に供される。そして、火災等の発生あるいは点検等の必要時に、駆動ユニット８のロック機構が手動又は無線等の電気信号により解除されると、重り７をもつシート体３の自重により又は駆動ユニット８の作動により、巻き取りドラム２からシート体３が巻き戻されつつ両ガイドレール１、１間を下降する。このとき、駆動ユニット８の落下防止機構により、シート体３の急激な落下は防止される。
【００４６】
そして、シート体３が両ガイドレール１、１間を下降している途中の閉作動中は、上記駆動ユニット８の落下防止機構のブレーキ反力とシート体３の重り７とのバランスにより、巻き取りドラム２と固定ローラ１４との間にあるシート体３には張力が加わるため、この力を利用して押し付け移動ローラ１６及び押し付けバー１２を上方に保持している（図１及び図３参照）。したがって、シート体３が両ガイドレール１、１間を下降している途中の閉作動中は、上記側部押し付けシール機構９及び上記上部押し付けシール機構１３は共に作動することがなく、シート体３が閉作動中の途中で停止するようなことはない。
【００４７】
そして、シート体３の下端部が床面に着床する直前に最下端にある作動リンク１０に当接すると、上記張力が無くなって押し付け移動ローラ１６が押し付けバー１２とともに斜め下方へ移動可能となる。このため、シート体３の重り７により各作動リンク１０が斜め下方に揺動するとともに、押し付け移動ローラ１６及び押し付けバー１２が共に斜め下方へ移動して、上記側部押し付けシール機構９及び上記上部押し付けシール機構１３が共に作動を開始する。
【００４８】
そして、シート体３の重り７が床面に着床して、シート体３により両ガイドレール１、１間が閉鎖される。この閉鎖完了時点で、上記側部押し付けシール機構９及び上記上部押し付けシール機構１３が共に作動を完了する。
【００４９】
すなわち、側部押し付けシール機構９においては、シート体３の幅方向端部３ａ付近を押し付けバー１２で開口端縁１１に押し付けることにより、該幅方向端部３ａ付近を両者間で挟持して上下方向に連続してシールする。しかも、開口端縁１１及び押し付けバー１２はガイドレール１の上端から下端までガイドレール１の全体にわたって上下方向に連続して延びて存在するため、シート体３の両側部にあるガイドレール１、１内の全体で気密性を確実に向上させることができる。
【００５０】
また、上部押し付けシール機構１３においては、シート体３の上方部を押し付け移動ローラ１６で被押し付け固定ローラ１５に押し付けることにより、該上方部を両者間で挟持して幅方向に連続してシールする。しかもこの上部押し付けシール機構１３の被押し付け固定ローラ１５は、両ガイドレール１、１の上端部１ａ、１ａ間に架け渡されてシート体３の幅方向に連続して延びて設けられているため、被押し付け固定ローラ１５の端部とガイドレール１の上端部１ａ間にも隙間がなく、この部分から煙等が流通することもない。
【００５１】
したがって、本実施例によれば、両ガイドレール１、１間を閉鎖したシート体３の両側部及び上方部の３辺を確実にシールすることができる。また、シート体３の下端部は重り７が床面に着床することによりシールされる。よって、エレベータカゴ側とエレベータロビー側とが本実施例のスクリーン装置により完全に遮断され、火災等による火炎や煙がエレベータカゴ側とエレベータロビー側との間を流通することを確実に防止することが可能となる。このため、ある階で発生した火災による火炎や煙は該スクリーン装置により遮断され、エレベータシャフトが煙突の役目をして他の階に煙が拡散することを確実に防止することができる。
【００５２】
【発明の効果】
以上詳述したように本発明のスクリーン装置は、両ガイドレール間を閉鎖した状態にあるシート体の各幅方向端部の近傍をそれぞれ上下方向に連続してシール可能な一対の側部押し付けシール機構を備えていることから、シート体が両ガイドレール間を閉鎖しているとき、シート体の両側部において気密性を確実に向上させることができる。
また、本発明のスクリーン装置は、両ガイドレール間を閉鎖した状態にあるシート体の上方部を該シート体の幅方向に連続してシール可能な上部押し付けシール機構をさらに備えていることから、シート体が両ガイドレール間を閉鎖しているとき、シート体の両側部のみならず、シート体の上方部でも幅方向に連続してシールして気密性を高めることができる。
したがって、本発明のスクリーン装置によれば、煙、風や塵埃等を確実に遮断することが可能となる。
【図面の簡単な説明】
【図１】  本実施例のスクリーン装置の全体構成を示す、部分的に破断した斜視図である。
【図２】  本実施例のスクリーン装置に係り、側部押し付けシール機構でシート体の幅方向端部近傍をシールしている状態を示す部分断面図である。
【図３】  本実施例のスクリーン装置に係り、シート体が両ガイドレール間を下降している閉作動中の上部押し付けシール機構の状態を示す模式図である。
【図４】  本実施例のスクリーン装置に係り、シート体により両ガイドレール間が閉鎖されたときの上部押し付けシール機構の状態を示す模式図である。
【符号の説明】
１…ガイドレール                ２…巻き取りドラム
３…シート体                  ３ａ…幅方向端部
４…幅挟挿入口                  ５…幅広収納空間
６…対向壁部                    ７…重り
８…駆動ユニット                ９…側部押し付けシール機構
１０…作動リンク                １１…開口端縁（第１被押し付け部）
１２…押し付けバー（第１押し付け部材）
１３…上部押し付けシール機構
１４…固定ローラ
１５…被押し付け固定ローラ（第２被押し付け部）
１６…押し付け移動ローラ（第２押し付け部材）
【図１】
0003833942.tif 000002
【図２】
0003833942.tif 000003
【図３】
0003833942.tif 000004
【図４】
0003833942.tif 000005